(57)【要約】【課題】自動的な制御により撮り込みを行う、例えばセルフタイマー撮影中に着信を検出した場合でも、着信報知に起因する撮り込み時の不都合を回避することである。【解決手段】  着信を検出する着信検出手段と、この着信検出手段により着信を検出すると、その旨を報知する報知手段と、撮像手段と、この撮像手段による撮像データの記録を指示する記録指示手段を備え、セルフタイマー撮影時におけるシャッターキー７１の操作検出から記録までの間に着信を検出すると、バイブレータによる振動報知を禁止するよう制御する。【選択図】図３
2007068013.tif 000002
【特許請求の範囲】
【請求項１】
着信を検出する着信検出手段と、
この着信検出手段により着信を検出すると、その旨を報知する報知手段と、
撮像手段と、
この撮像手段による撮像データの記録を指示する記録指示手段と、
この記録指示手段により記録が指示されると、一定時間後に前記撮影手段による撮像データを記録する記録手段と、
前記記録指示手段による記録の指示から前記記録手段による撮像データの記録までの間に前記着信検出手段により着信を検出した場合の前記報知手段による報知を制御する報知制御手段と、
を備えることを特徴とする撮像装置。
【請求項２】
前記報知手段は振動により着信を報知し、
前記報知制御手段は、前記報知手段による振動報知を制限することを特徴とする請求項１に記載の撮像装置。
【請求項３】
前記記録手段による記録の際に発光する発光手段をさらに備え、
前記報知制御手段は、前記振動報知に代えて、前記発光手段を発光させることにより着信を報知することを特徴とする請求項２に記載の撮像装置。
【請求項４】
音声を出力することにより報知する音声報知手段をさらに備え、
前記報知制御手段は、前記振動報知に代えて、前記音声報知手段による音声報知により着信を報知することを特徴とする請求項２に記載の撮像装置。
【請求項５】
無線通信回線と回線接続する回線接続手段をさらに備えるとともに、前記着信検出手段は、この無線通信回線を介して着信を検出し、
前記記録指示手段による記録の指示から前記記録手段による撮像データの記録までの間に前記着信検出手段により着信を検出した場合、前記無線通信回線と回線接続する接続制御手段と、
この接続制御手段による回線接続の後、この回線を通じて取得した情報を記録する情報記録手段と、
をさらに備えることを特徴とする請求項１に記載の撮像装置。
【請求項６】
前記発光手段による報知、前記音声報知手段による音声報知、または、前記記録手段による記録を行うか否かを予め設定する設定手段をさらに備えることを特徴とする請求項２乃至５の何れかに記載の撮像装置。
【請求項７】
着信を検出する着信検出ステップと、
この着信検出ステップにて着信を検出すると、その旨を報知する報知ステップと、
撮像データの記録を指示する記録指示ステップと、
この記録指示ステップにて記録が指示されると、一定時間後に撮像データを記録する記録ステップと、
前記記録指示ステップによる記録の指示から前記記録ステップによる撮像データの記録までの間に前記着信検出ステップにて着信を検出した場合の前記報知ステップによる報知を制御する報知制御ステップと、
からなることを特徴とする報知制御方法。
【請求項８】
コンピュータを、
着信を検出する着信検出手段、
この着信検出手段により着信を検出すると、その旨を報知する報知手段、撮像手段、
この撮像手段による撮像データの記録を指示する記録指示手段、
この記録指示手段により記録が指示されると、一定時間後に前記撮影手段による撮像データを記録する記録手段、
前記記録指示手段による記録の指示から前記記録手段による撮像データの記録までの間に前記着信検出手段により着信を検出した場合の前記報知手段による報知を制御する報知制御手段、
として機能させることを特徴とする報知制御プログラム。
【発明の詳細な説明】
【技術分野】
【０００１】
本発明は、撮像装置、及び、報知制御方法に関する。
【背景技術】
【０００２】
近年、撮像装置の一つとして撮影機能を付加したカメラ付き携帯電話機が普及している。このようなカメラ付き携帯電話機は、撮影のためのレンズが携帯電話機の背面側に設けられるものがある。撮影時には、携帯電話機の背面側を被写体に向け、正面側のメイン表示部に表示された被写体を見ながらキーを押下することにより被写体を撮影する。
【０００３】
さらに、最近では、ユーザによるシャッター操作後に直ちに撮影せず予め設定された時間の経過の後、撮影(画像の撮り込み)を行う所謂セルフタイマー機能付きのカメラ付き携帯電話機が一般化されつつある。このセルフタイマー機能を用いて撮影を行う場合には、ユーザはカメラ付き携帯電話機から離れてしまうので、携帯電話機のＬＥＤの点灯時間の変化や、音を発するなどにより、撮影のタイミングをカメラ付き携帯電話機から離れた位置で認識していた。そして、このような撮影状況を考えた上での先行技術としては、携帯電話機のサブ背面側に搭載されたサブ表示部に、セルフタイマー撮影時における撮影タイミングを知らせる情報を表示させる機能を備え、その表示を見ることにより、失敗の無いセルフタイマー撮影が可能な携帯電話機が開示されている（特許文献１、参照。）。
【特許文献１】特開２００４−２８２３９９号公報
【発明の開示】
【発明が解決しようとする課題】
【０００４】
しかしながら、従来のセルフタイマー機能付き携帯電話機では、撮影中に着信があり、この時の着信報知設定がバイブレータであった場合には、その振動により携帯電話機が移動してしまい、設置位置から落下することがあり、その結果、携帯電話機本体が破損により故障してしまうという問題があった。また、バイブレータによる振動報知により、撮影時にぶれが発生し、明瞭な画像を撮影できず、再度、撮影する必要が生じるといった問題があった。
【０００５】
本発明は上記問題に鑑み、自動的な制御により撮り込みを行う、例えばセルフタイマー撮影中に着信を検出した場合でも、着信報知に起因する撮り込み時の不都合を回避することを課題とする。
【課題を解決するための手段】
【０００６】
上記課題を解決するために、請求項１に記載の発明は、着信を検出する着信検出手段と、この着信検出手段により着信を検出すると、その旨を報知する報知手段と、撮像手段と、この撮像手段による撮像データの記録を指示する記録指示手段と、
この記録指示手段により記録が指示されると、一定時間後に前記撮影手段による撮像データを記録する記録手段と、前記記録指示手段による記録の指示から前記記録手段による撮像データの記録までの間に前記着信検出手段により着信を検出した場合の前記報知手段による報知を制御する報知制御手段とを備えることを特徴としている。
【０００７】
請求項２に記載の発明は、請求項１に記載の撮像装置において、前記報知手段は振動により着信を報知し、前記報知制御手段は、前記報知手段による振動報知を制限する
ことを特徴としている。
【０００８】
請求項３に記載の発明は、請求項２に記載の撮像装置において、前記記録手段による記録の際に発光する発光手段をさらに備え、前記報知制御手段は、前記振動報知に代えて、前記発光手段を発光させることにより着信を報知することを特徴としている。
【０００９】
請求項４に記載の発明は、請求項２に記載の撮像装置において、音声を出力することにより報知する音声報知手段をさらに備え、  前記報知制御手段は、前記振動報知に代えて、前記音声報知手段による音声報知により着信を報知することを特徴としている。
【００１０】
請求項５に記載の発明は、請求項１に記載の撮像装置において、無線通信回線と回線接続する回線接続手段をさらに備えるとともに、前記着信検出手段は、この無線通信回線を介して着信を検出し、前記記録指示手段による記録の指示から前記記録手段による撮像データの記録までの間に前記着信検出手段により着信を検出した場合、前記無線通信回線と回線接続する接続制御手段と、この接続制御手段による回線接続の後、この回線を通じて取得した情報を記録する情報記録手段とをさらに備えることを特徴としている。
【００１１】
請求項６に記載の発明は、請求項２乃至５の何れか一項に記載の撮像装置において、前記発光手段による報知、前記音声報知手段による音声報知、または、前記記録手段による記録を行うか否かを予め設定する設定手段をさらに備えることを特徴としている。
【００１２】
請求項７に記載の発明は、着信を検出する着信検出ステップと、この着信検出ステップにて着信を検出すると、その旨を報知する報知ステップと、撮像データの記録を指示する記録指示ステップと、この記録指示ステップにて記録が指示されると、一定時間後に撮像データを記録する記録ステップと、前記記録指示ステップによる記録の指示から前記記録ステップによる撮像データの記録までの間に前記着信検出ステップにて着信を検出した場合の前記報知ステップによる報知を制御する報知制御ステップとからなることを特徴としている。
【００１３】
請求項８に記載の発明は、コンピュータを、着信を検出する着信検出手段、この着信検出手段により着信を検出すると、その旨を報知する報知手段、撮像手段、この撮像手段による撮像データの記録を指示する記録指示手段、この記録指示手段により記録が指示されると、一定時間後に前記撮影手段による撮像データを記録する記録手段、前記記録指示手段による記録の指示から前記記録手段による撮像データの記録までの間に前記着信検出手段により着信を検出した場合の前記報知手段による報知を制御する報知制御手段として機能させることを特徴としている。
【発明の効果】
【００１４】
本発明によれば、例えばセルフタイマー撮影のような、自動的な制御により撮り込みを行う撮影処理中であっても、着信検出等、予期し得ない割り込みによる報知を制御することで、撮り込み時に支障が生じる不都合を回避することが可能となる。
【発明を実施するための最良の形態】
【００１５】
以下、図を参照して、本発明の実施形態について詳細に説明する。なお、以下、撮像装置は携帯電話機１として説明するがこれに限定されない。また、セルフタイマー撮影中とは、タイマー計測部１０による予め設定された時間のカウント開始から終了までの間のことを示す。
【００１６】
まず、図１に、本実施形態に係る携帯電話機１の主要部構成を示す。  
図に示すように、携帯電話機１は、アンテナ２、無線送受信部３、無線信号処理部４、システムＲＯＭ（Read Only Memory）５、制御部６、キー入力部７、表示部８、メモリカード９、タイマー計測部１０、着信設定記憶部１１、音声信号処理部１２、通話用スピーカ１３、マイク１４、記憶部１５  ドライバ１６、２１、２２、カメラ撮影補助ライト１７、着信用スピーカ１８、バイブレータ１９、カメラ２０、入出力インターフェイス２３等により構成される。
【００１７】
無線送受信部３は、アンテナ２で受信された受信波を、ダウンコンバートした後、復調し、デジタルデータを含んだ信号であるベースバンド信号を無線信号処理部４へ出力する。
【００１８】
無線信号処理部４は、ユーザが通話する際にマイク１４を介して入力され、回線接続の際には、音声信号処理部１２にて所定の圧縮符号化形式に変換された音声情報を、無線通信方式にて定められた無線信号に変調してアンテナ２を介して外部の基地局に送信する。一方、アンテナ２を介して基地局より無線信号を受信した無線送受信部３は、その無線信号からデジタルデータを復調し、無線信号処理部４へ出力する。無線信号処理部４は、出力されたデジタルデータが音声通信ならば、当該デジタルデータを音声処理部１２へ出力する。また、デジタルデータがパケットデータであれば、そのパケットデータより復元された各種データ（メールデータやダウンロードデータ）を制御部６へ出力する処理を行う。
【００１９】
制御部６は、入力される指示に応じて所定のプログラムに基づいた処理を実行し、各部の動作を制御する。例えば、キー入力部７の操作により、カメラモードが選択されると、その選択信号を受信する。そして、受信した信号に基づいて、カメラ２０の動作を制御する。また、カメラ２０での撮影時に、ユーザによりセルフタイマー撮影が選択され、その選択信号を受信すると、報知制限内容としてバイブレータによる着信報知を禁止する制御を行う。そして、バイブレータによる着信報知禁止を実行した後、ユーザによる撮影指示があったか否かを判定し、撮影指示を受信すると、タイマー計測部１０の動作を制御することにより、時間のカウントを開始する。
【００２０】
上述したように、本実施形態に係る携帯電話機１の制御部６は、カメラ２０による撮影時に、セルフタイマー撮影が選択され、セルフタイマー撮影中に着信を検出した場合は、バイブレータによる振動報知を禁止する制御を実行するが、携帯電話機１の着信報知設定が、バイブレータではなく、音声着信設定である場合は、設定されている音声で着信報知を実行する。つまり、セルフタイマー撮影中に無線信号処理部４からデジタルデータを受信すると、まず、セルフタイマー撮影中か否かを判定し、セルフタイマー撮影中であると判定すると、設定されている方法で着信報知を実行する。従って、例えば、撮影補助ライトでの報知に設定されている場合、制御部６は、ドライバ１６の動作を制御することにより、カメラ撮影補助ライト１７を駆動させる。報知方法は、カメラ撮影補助ライト１７の他に、ブザー報知、報知しない等の設定がある。これらの着信設定内容は、着信設定記憶部１１に記憶する（後述）。
【００２１】
システムＲＯＭ５は、通信制御のためのプログラムを格納する。
【００２２】
キー入力部７は、シャッターキー７１を含み、各種機能キーを備え、メールの送受信、メール作成、電話帳登録などを入力することにより各種指示を行う。  
【００２３】
表示部８は、ＬＣＤ（Liquid Crystal Display）等の表示画面を備え、操作を行うために必要な表示画面である。電話情報、メールの作成、受信した電話の受信先情報等が表示される。また、表示画面は、メイン表示部及びサブ表示部で構成されるとしてもよい。カメラモードが選択され、カメラ２０が起動すると、制御部６は表示部８に被写体を表示させる。ユーザは、表示部８に表示される被写体を確認しながら、撮影対象である被写体を決定し、キー入力部７を押下することにより撮影を行う。
【００２４】
メモリカード９は、特に図示しないメモリーカードスロットなどに装着される記録媒体であり、カメラ２０により撮影された撮像データや、その他アドレス帳、メール送受信履歴などを記録する。例えば、カメラ２０により撮影が行われ、その撮像データが取得されると、ドライバ２２を介してメモリカード９に記録される。メモリカード９は、磁気的、光学的半導体メモリ等で構成され、着脱自在に装着できるものである。従って、メモリカード９を、例えば、ＰＣ（Personal Computer）等に装着し、ＰＣに撮像データを保存したり、撮像データのコントラストや、ホワイトバランスをＰＣを用いて補正することが可能である。
【００２５】
記憶部１５は、ＲＡＭ（Random Access Memory）や読み書き可能な不揮発性メモリ等により構成され、ＲＡＭは、制御部６によって実行される各種プログラムをプログラム格納エリアに展開する。また、各種プログラムの実行時に生じる処理結果等のデータをワークエリアに一時的に記憶する。具体的には、セルフタイマー撮影中に着信を検出した場合の着信報知設定を、ユーザが設定する際に一時的に記憶する。また、応答メッセージや留守録データも記憶する。そして、制御部６は、ユーザの信号を受け、記憶部１５に記憶された設定内容を確定すると、その設定内容を着信設定記憶部１１に記憶する。また、読み書き可能な不揮発性メモリは、カメラ２０で撮影された撮像データや、アドレス帳などを保存する。アドレス帳は何回でも更新可能であり、撮像データに関しても、不要な撮像データは、消去することが可能である。
【００２６】
ドライバ１６は、カメラ撮影補助ライト１７、着信用スピーカ１８及びバイブレータ１９を駆動させる回路部であり、制御部６からの指示を受信すると、その指示内容に基づいて、各部を駆動させる。例えば、アンテナ２を介して無線送受信部から無線信号処理部へデジタルデータが出力されると、制御部６は、そのデジタルデータが音声通信であってもパケットデータであっても、受信した旨を知らせるために、ドライバ１６の動作を制御し、着信用スピーカ１８又は／及びバイブレータ１９を駆動させる。なお、ユーザによりセルフタイマー撮影が選択されたことにより、制御部６からバイブレータによる振動報知を禁止する指示を受信すると、ドライバ１６は、バイブレータ１９を駆動させる動作を停止する。
【００２７】
カメラ２０は、特に図示しない光学レンズ、撮像素子などにより構成され、制御部６の指示により光学レンズから入光して撮像素子に結像する画像を画像信号として制御部６へ出力する。また、カメラ２０の光学レンズなどのカメラレンズ部は、携帯電話１をカメラモードに切り替え、画像を撮影する際に、画像をドライバ２１を介して表示部８へ映し出す。
【００２８】
タイマー計測部１０は、シャッターキー７１の操作検出による撮影指示（記録指示）から撮影（記録）までの時間が設定されており、セルフタイマー撮影実行時に、撮影までの時間を計る。予め設定されている、シャッターキー７１の操作検出から撮影までの時間は、ユーザにより設定変更可能である。具体的には、ユーザによりカメラモードが選択されると、制御部６は、カメラ２０を起動させる。そして、ユーザによりキー入力部７の操作により、セルフタイマー撮影モードが選択された後、シャッターキー７１の操作が検出されると、制御部６はその操作信号を受信する。そして、制御部６は、タイマー計測部１０へその信号を出力することにより、動作開始を指示する。タイマー計測部１０は、制御部６からの信号を受信すると、時間のカウントを開始し、タイマーが０になるまでカウントすると、カウントが終了したことを制御部６へ送信する。その信号を受信した制御部６は、カメラ２０の動作を制御することにより撮影実行し、撮影した撮像データを、記憶部１５及びメモリカード９に記録する。
【００２９】
着信設定記憶部１１は、記憶部１５に記憶される報知パターンテーブル（図２、参照）からユーザにより選択され、設定された着信モードを記憶する。セルフタイマー撮影時には、バイブレータによる振動報知を禁止し、着信設定記憶部１１に記憶される着信モードにて着信報知が実施される。
【００３０】
音声処理部１２は、マイク１４を介して入力された音声信号を所定の圧縮符号化形式に変換してバスＢに出力する他、音声通信の際にバスＢより入力されたデジタルデータを復元処理して音声信号に変換し、通話用スピーカ１３に出力したり、留守録が設定されている場合は記憶部１５に記録する。
【００３１】
入出力インターフェイス２３は、外部装置と接続された際に、データの入出力を行う。例えば、携帯電話機１をコンピュータ装置に接続し、この入力インターフェイス２３を介して携帯電話機１で撮影した撮像データをコンピュータ装置へ出力する。また、アドレス帳などについても、コンピュータ装置へ出力する場合は、入出力インターフェイス２３を介して実行する。
【００３２】
次に、図２に、記憶部１５が記憶する報知パターンテーブルの一例を示す。図に示すように、報知パターンはＭｏｄｅ０〜４の５パターンにより構成される。Ｍｏｄｅ１は、ライトでの報知であり、セルフタイマー撮影中に着信を検出した場合には、カメラ撮影補助ライト１７を発光させることにより着信を報知する。Ｍｏｄｅ２は、ブザーによる報知であり、通常着信音として設定している音楽やブザーを報知するとしてもよいし、セルフタイマー撮影中の着信専用としてブザーを設定するとしてもよい。いずれにしても、Ｍｏｄｅ２による報知は音による報知である。Ｍｏｄｅ３は、電波オフ、つまり、セルフタイマー撮影中は、着信を禁止する。Ｍｏｄｅ４は、報知しない設定である。従って、セルフタイマー撮影中に着信を検出した場合は、音は出さず、ライトによる報知もしない。電波のオフもしないため、着信はあるが全く報知しない状態にする設定である。Ｍｏｄｅ０は、未設定の状態である。
【００３３】
図３のフローチャートを参照して、セルフタイマー撮影が選択された場合に実行される処理について説明する。
【００３４】
まず、制御部６は、表示部８にメニュー選択画面を表示する（ステップＳ１）。ステップＳ１において、表示部８にメニュー選択画面を表示すると、ユーザは、メニュー選択画面を確認し、カメラモードを選択する。ユーザにより、カメラモードが選択されると、制御部６は、そのカメラモード選択信号を受信する（ステップＳ２）。
【００３５】
ステップＳ２において、カメラモード選択信号を受信すると、制御部６は、表示部８にモニタ表示を開始する（ステップＳ３）。このモニタ表示とは、表示部８に被写体を表示させる電子ファインダとしての表示である。ステップＳ３によるモニタ表示の際、ユーザによりセルフタイマー撮影が選択されると、制御部６は、セルフタイマー撮影選択信号を受信する（ステップＳ４）。
【００３６】
ステップＳ４において、セルフタイマー撮影選択信号を受信すると、セルフタイマー撮影中に着信を検出した場合の着信設定として、バイブレータによる振動報知を禁止する制御を実行する（ステップＳ５）。
【００３７】
ステップＳ５において、セルフタイマー撮影中の着信設定として、バイブレータによる振動報知を禁止する制御をすると、シャッターキー７１が操作されたか否かを判定する（ステップＳ６）。ステップＳ６において、シャッターキー７１が操作されていなと判定すると（ステップＳ６；ＮＯ）、再度、ステップＳ６の判定を繰り返す。
【００３８】
ステップＳ６において、シャッターキー７１が操作されたと判定すると（ステップＳ６；ＹＥＳ）、セルフタイマーの初期化を実行する（ステップＳ７）。タイマー開始時間をＴｓ、予め設定されたタイマー時間をＴｃとすると、セルフタイマー初期化実行時は、Ｔｓ＝Ｔｃに設定される。
【００３９】
ステップＳ７において、タイマーの初期化を実行すると、タイマーを起動して予め設定された時間Ｔｃのカウントを開始する（ステップＳ８）。ステップＳ８において、タイマーを起動すると、着信報知設定がＭｏｄｅ３、つまり、電波オフであるか否かを判定する（ステップＳ９）。
【００４０】
ステップＳ９において、着信報知設定がＭｏｄｅ３であると判定すると（ステップＳ９；ＹＥＳ）、着信禁止状態であるため、セルフタイマー撮影中に着信があることはない。従って、予め設定されたタイマー時間Ｔｃのカウントを開始する（ステップＳ１１）。ステップＳ１１において、タイマー時間Ｔｃのカウントを開始すると、Ｔｃ＝０、つまり、タイマー時間のカウントが終了したか否か判定する（ステップＳ１２）。
【００４１】
ステップＳ１２において、Ｔｃ＞０であり、タイマー時間Ｔｃのカウントが終了していないと判定すると（ステップＳ１２；ＮＯ）、ステップＳ９に戻り、再度、着信報知設定がＭｏｄｅ３であると判定する。ステップＳ１２において、Ｔｃ＝０となり、タイマー時間Ｔｃのカウントが終了したと判定すると（ステップＳ１２；ＹＥＳ）、タイマーを停止する（ステップＳ１３）。
【００４２】
タイマ−時間Ｔｃのカウントが終了し、ステップＳ１３において、タイマーを停止するとその時点の撮像データの記録を指示する（ステップＳ１４）。ステップＳ１４において、記録指示された撮像データに基づく画像を表示すべく、電子ファインダとして被写体を表示しているモニタ表示を停止し（ステップＳ１５）、撮像データに基づく画像を表示する（ステップＳ１６）。そしてその後、当該撮像データを記憶部１５及びメモリカード９に記録して（ステップＳ１７）、セルフタイマーによる撮影を終了する。
【００４３】
一方、ステップＳ９において、着信報知設定がＭｏｄｅ３ではないと判定すると（ステップＳ９；ＮＯ）、セルフタイマー撮影中に着信があったか否かを判定する（ステップＳ１０）。ステップＳ１０において、セルフタイマー撮影中に着信がなかったと判定すると（ステップＳ１０；ＮＯ）、上述したステップＳ１１〜Ｓ１７の処理を実行する。
【００４４】
ステップＳ１０において、セルフタイマー撮影中に着信があったと判定すると（ステップＳ１０；ＹＥＳ）、タイマーを停止する（ステップＳ１８）。ステップＳ１８において、タイマーを停止すると、電子ファインダとして被写体を表示するモニタ表示を停止する（ステップＳ１９）。
【００４５】
ステップＳ１９において、モニタ表示を停止すると、セルフタイマー撮影時における着信処理を実行する（ステップＳ２０）。ステップＳ２０において、セルフタイマー撮影中における着信処理を実行すると、停止していたモニタ表示を再度開始する（ステップＳ２１）。ステップＳ２１において、モニタ表示を開始すると、ステップＳ６に戻り、再度、同様の処理を繰り返す。
【００４６】
次に、図４のフローチャートを参照して、セルフタイマー撮影中における着信処理（ステップＳ２０）について説明する。
【００４７】
まず、携帯電話機１の着信報知設定がマナーモードであるか否かを判定する（ステップＰ１）。ステップＰ１において、着信報知設定がマナーモードではないと判定すると（ステップＰ１；ＮＯ）、着信を報知する（ステップＰ４）。ステップＰ１において、着信報知設定がマナーモードであると判定すると（ステップＰ１；ＹＥＳ）、撮影設定がセルフタイマー撮影であるか否かを判定する（ステップＰ２）。
【００４８】
ステップＰ２において、撮影設定がセルフタイマー撮影ではないと判定すると（ステップＰ２；ＮＯ）、マナーモード設定でない場合と同様に、着信を報知する（ステップＰ４）。なお、セルフタイマー撮影が設定されておらず、通常着信モードとしてマナーモードが設定されていれば、マナーモード設定であるバイブレータにて着信を報知する。ステップＰ２において、撮影設定がセルフタイマー撮影であると判定すると（ステップＰ２；ＹＥＳ）、着信設定についてバイブレータによる振動報知の禁止が設定されていることを確認する（ステップＰ３）。
【００４９】
ステップＰ３において、バイブレータによる振動報知の禁止を確認する、又は、ステップＰ４において、通常設定されている着信モードにて着信を報知すると、通話ボタンが押下されたか否かを判定する（ステップＰ５）。つまり、ユーザが回線接続を指示し、電話に出たことにより通話ボタン押下信号を受信したか否かを判定する。
【００５０】
ステップＰ５において、通話ボタンが押下されず、通話ボタン押下信号を受信していないと判定すると（ステップＰ５；ＮＯ）、自動着呼応答設定、又は、留守録設定があるか否かを判定する（ステップＰ９）。
【００５１】
ステップＰ９において、自動着呼応答設定、又は、留守録設定がないと判定すると（ステップＰ９；ＮＯ）、ステップＰ５に戻り、再度、ステップＰ５の判定をする。ステップＰ９において、自動着呼応答設定、又は、留守録設定があると判定すると（ステップＰ９；ＹＥＳ）、予め設定された時間経過後、自動着呼応答、又は、留守録を開始する（ステップＰ１０）。
【００５２】
一方、ステップＰ５において、通話ボタンが押下されたために、通話ボタン押下信号を受信したと判定すると（ステップＰ５；ＹＥＳ）、通話処理を開始する（ステップＰ６）。つまり、ユーザは、携帯電話１を用いて通話を行う。
【００５３】
ステップＰ６において、通話処理を実行すると、通話が終了したか否かを判定する（ステップＰ７）。つまり、ユーザが通話を終了し、通話終了ボタンを押下したことによる通話終了押下信号を受信したか否かを判定する。
【００５４】
ステップＰ７において、ユーザが通話を終了したことによる通話終了押下信号を受信していないと判定すると（ステップＰ７；ＮＯ）、再度、ステップＰ６に戻り、ステップＰ６〜Ｐ７の処理を繰り返す。ステップＰ７おいて、ユーザによる通話終了押下信号を受信したと判定すると（ステップＰ７；ＹＥＳ）、通話を切断し（ステップＰ８）、セルフタイマー着信処理を終了する。
【００５５】
以上のように、携帯電話機１の着信音設定がマナーモードとしてバイブレータによる振動報知に設定されている場合のセルフタイマー撮影中に着信を検出した場合、セルフタイマー撮影選択時に、バイブレータによる振動報知を禁止にしておくことにより、バイブレータの振動により携帯電話機１が設置位置から落下することを防ぐことができ、落下による携帯電話機１の故障を回避することが可能となる。また、落下防止だけでなく、バイブレータによる振動報知を禁止することによって、振動によるブレを回避でき、明瞭な撮像データを取得することが可能となる。
【００５６】
図４のフローチャートでは、セルフタイマー撮影時の着信処理としてセルフタイマー撮影選択時に禁止したバイブレータによる振動報知設定を確認する構成とした。次に、図５に、セルフタイマー撮影中にバイブレータによる振動報知禁止を確認し、カメラ撮影補助ライト１７で報知する処理についてのフローチャートを示す。なお、図において、図４と同様の処理には、同様の符号を付し、説明は簡略する。
【００５７】
まず、携帯電話機１の着信報知設定がマナーモードであるか否かを判定し（ステップＰ１）、着信報知設定がマナーモードではないと判定すると（ステップＰ１；ＮＯ）、着信を報知する（ステップＰ４）。ステップＰ１において、着信報知設定がマナーモードであると判定すると（ステップＰ１；ＹＥＳ）、撮影設定がセルフタイマー撮影であるか否かを判定する（ステップＰ２）。
【００５８】
ステップＰ２において、撮影設定がセルフタイマー撮影ではないと判定すると（ステップＰ２；ＮＯ）、マナーモード設定でない場合と同様に、着信を報知する（ステップＰ４）。ステップＰ２において、撮影設定がセルフタイマー撮影であると判定すると（ステップＰ２；ＹＥＳ）、着信設定についてバイブレータによる振動報知禁止が設定されていることを確認する（ステップＰ３）。
【００５９】
ステップＰ３において、バイブレータによる振動報知禁止を確認すると、ドライバ１６の動作を制御しカメラ撮影補助ライトを駆動させ、撮影補助ライトで着信報知をする（ステップＡ）。ステップＡにおいて、カメラ撮影補助ライトにて着信を報知する、又は、ステップＰ４において、通常着信として設定されている着信モードにて着信報知をすると、通話ボタンが押下されたか否かを判定し（ステップＰ５）、図４と同様に、ステップＰ５〜Ｐ８の処理を実行する。
【００６０】
以上のように、着信音がバイブレータによる振動報知に設定されている携帯電話機１によるセルフタイマー撮影時に、着信を検出した場合は、バイブレータによる振動報知禁止を確認し、カメラ撮影補助ライトにより着信報知をすることによって、バイブレータによる振動報知の振動による携帯電話機１の設置位置からの落下防止、撮影中のブレ防止に加え、着信があったことをユーザに視覚的にわかりやすく伝えることが可能となる。従って、セルフタイマー撮影中においても、着信に気づくことができ、通話が可能となる。
【００６１】
次に、図６に、セルフタイマー撮影中にバイブレータによる振動報知禁止を確認し、着信用スピーカ１８で報知する処理についてのフローチャートを示す。なお、図において、図４と同様の処理には、同様の符号を付し、説明は簡略する。
【００６２】
まず、携帯電話機１の着信報知設定がマナーモードであるか否かを判定し（ステップＰ１）、着信報知設定がマナーモードではないと判定すると（ステップＰ１；ＮＯ）、着信を報知する（ステップＰ４）。ステップＰ１において、着信報知設定がマナーモードであると判定すると（ステップＰ１；ＹＥＳ）、撮影設定がセルフタイマー撮影であるか否かを判定する（ステップＰ２）。
【００６３】
ステップＰ２において、撮影設定がセルフタイマー撮影ではないと判定すると（ステップＰ２；ＮＯ）、マナーモード設定でない場合と同様に、着信を報知する（ステップＰ４）。ステップＰ２において、撮影設定がセルフタイマー撮影であると判定すると（ステップＰ２；ＹＥＳ）、着信設定についてバイブレータによる振動報知禁止が設定されていることを確認する（ステップＰ３）。
【００６４】
ステップＰ３において、バイブレータによる振動報知禁止を確認すると、ドライバ１６の動作を制御し着信用スピーカ１８を駆動させ、着信用スピーカ１８から音を出力することにより着信を報知する（ステップＢ）。なお、このセルフタイマー撮影中の着信報知音は、通常の着信音として設定されている音でもよいし、撮影中の報知音として別に設定されている音により報知する構成としてもよい。
【００６５】
ステップＢにおいて、着信用スピーカ１８にて着信を報知する、又は、ステップＰ４において、通常着信として設定されている着信モードにて着信報知をすると、通話ボタンが押下されたか否かを判定し（ステップＰ５）、図４と同様に、ステップＰ５〜Ｐ８の処理を実行する。
【００６６】
以上のように、バイブレータによる振動報知に設定されている携帯電話機１によるセルフタイマー撮影時に、着信を検出した場合は、バイブレータによる振動報知禁止確認し、音により着信を報知することができることにより、振動による携帯電話機１の設置位置からの落下防止、撮影中のブレ防止に加え、聴覚的に着信に気づくことが可能となる。従って、例えば、ライトによる着信報知に気づきにくい明るい場所での撮影時には、音による報知によって、着信により気づきやすくなる。
【００６７】
次に、図７に、セルフタイマー撮影中にバイブレータによる振動報知禁止を確認し、予め設定された着信モードを選択し、選択したモードにて着信報知する処理についてのフローチャートを示す。なお、図において、図４と同様の処理には、同様の符号を付し、説明は簡略する。
【００６８】
まず、携帯電話機１の着信報知設定がマナーモードであるか否かを判定し（ステップＰ１）、着信報知設定がマナーモードではないと判定すると（ステップＰ１；ＮＯ）、着信を報知する（ステップＰ４）。ステップＰ１において、着信報知設定がマナーモードであると判定すると（ステップＰ１；ＹＥＳ）、撮影設定がセルフタイマー撮影であるか否かを判定する（ステップＰ２）。
【００６９】
ステップＰ２において、撮影設定がセルフタイマー撮影ではないと判定すると（ステップＰ２；ＮＯ）、マナーモード設定でない場合と同様に、着信を報知する（ステップＰ４）。ステップＰ２において、撮影設定がセルフタイマー撮影であると判定すると（ステップＰ２；ＹＥＳ）、着信設定についてバイブレータによる振動報知禁止が設定されていることを確認する（ステップＰ３）。
【００７０】
ステップＰ３において、バイブレータによる振動報知禁止を確認すると、予め設定されている着信モードを選択し、その選択した着信モードにて着信報知をする（ステップＣ）。この選択報知については、後述する。
【００７１】
ステップＣにおいて、選択した着信モードにて報知をする、又は、ステップＰ４において、通常着信として設定されている着信モードにて着信報知をすると、通話ボタンが押下されたか否かを判定し（ステップＰ５）、図４と同様に、ステップＰ５〜Ｐ８の処理を実行する。
【００７２】
次に、図８のフローチャートを参照して、選択報知処理（図７；ステップＣ）について説明する。
【００７３】
図２に示したように、着信設定記憶部１１には、Ｍｏｄｅ０〜４の報知パターンが記憶されており、ユーザは、これらのパターンから着信モードを選択し、予め設定する。制御部６は、これら複数の報知パターンから予め設定されている着信モードを検索し、その検索結果に基づいた方法により着信報知を行う。なお、Ｍｏｄｅ３である電波オフに関しては、セルフタイマー起動時に電波オフ設定であるか否かの判定を行うため（図３；ステップＳ９）、選択報知処理では、検索を行わない。
【００７４】
まず、ステップＴ１において、予め設定されているＭｏｄｅがＭｏｄｅ１、つまり、カメラ補助ライト１７による報知であるか否かの判定をする。ステップＴ１において、予め設定されているＭｏｄｅがＭｏｄｅ１であると判定すると（ステップＴ１；ＹＥＳ）、カメラ補助ライト１７による着信報知をする（ステップＴ２）。ステップＴ１において、予め設定されているＭｏｄｅがＭｏｄｅ１ではないと判定すると（ステップＴ１；ＮＯ）、次に、予め設定されているＭｏｄｅがＭｏｄｅ２、つまり、ブザーによる報知であるか否かを判定する（ステップＴ３）。
【００７５】
ステップＴ３において、予め設定されているＭｏｄｅがＭｏｄｅ２であると判定すると（ステップＴ３；ＹＥＳ）、ブザーによる着信報知をする（ステップＴ４）。このブザーは、通常着信音として設定している音楽であってもよい。ステップＴ３において、予め設定されているＭｏｄｅがＭｏｄｅ２ではないと判定すると（ステップＴ３；ＮＯ）、次に、予め設定されているＭｏｄｅがＭｏｄｅ４、つまり、報知しない設定であるか否かを判定する（ステップＴ５）。
【００７６】
ステップＴ５において、予め設定されているＭｏｄｅがＭｏｄｅ４であると判定すると（ステップＴ５；ＹＥＳ）、報知はしない（ステップＴ６）。従って、セルフタイマー撮影中に着信を検出した場合においても、音は出さず、ライトによる報知もしない状態である。ステップＴ５において、予め設定されているＭｏｄｅがＭｏｄｅ４ではないと判定すると（ステップＴ５；ＮＯ）、次に、予め設定されているＭｏｄｅがＭｏｄｅ０、つまり、着信モードの設定がされていない未設定の状態であるか否かを判定する（ステップＴ７）。
【００７７】
ステップＴ７において、予め設定されているＭｏｄｅがＭｏｄｅ０であると判定すると（ステップＴ７；ＹＥＳ）、通常着信音として設定されている音にて着信報知をする（ステップＴ８）。ステップＴ７において、予め設定されているＭｏｄｅがＭｏｄｅ０ではないと判定すると（ステップＴ７；ＮＯ）、選択報知処理を終了する。
【００７８】
ステップＴ２、Ｔ４、Ｔ６、Ｔ８において、それぞれ、選択したモードにて着信を報知すると、図７のステップＰ５〜Ｐ８の処理を実行する。
【００７９】
図９のフローチャートを参照して、ユーザにより着信モードが設定される際の着信モード選択処理について説明する。また、図１０に、その着信モード選択時に表示部８に表示される選択画面を示し、図１０を参照にしつつ説明する。なお、図１０は、Ｍｏｄｅ１であるカメラ撮影補助ライト１７による報知に設定されていることを示している。
【００８０】
まず、ユーザによりセルフタイマー撮影中に着信を検出した場合、カメラ撮影補助ライト１７により報知をする設定が選択されたか否かを判定する（ステップＨ１）。ステップＨ１において、カメラ撮影補助ライト１７による着信モードが選択されたと判定すると（ステップＨ１；ＹＥＳ）、カメラ撮影補助ライト１７による着信報知設定をＢｕｆｆ１として記憶部１５に記憶する（ステップＨ２）。ステップＨ１において、カメラ撮影補助ライト１７による着信設定が選択されていないと判定すると（ステップＨ１；ＮＯ）、次に、セルフタイマー撮影中に着信を検出した場合、ブザーによる報知をする着信報知設定が選択されたか否かを判定する（ステップＨ３）。
【００８１】
ステップＨ３において、ブザーによる報知をする着信報知設定が選択されたと判定すると（ステップＨ３；ＹＥＳ）、ブザーによる着信報知設定でＢｕｆｆ２として記憶部１５に記憶する（ステップＨ４）。ステップＨ３において、ブザー報知をする着信報知設定が選択されていないと判定すると（ステップＨ３；ＮＯ）、次に、セルフタイマー撮影中に着信を検出した場合、電波をオフにして着信を禁止する設定が選択されたか否かを判定する（ステップＨ５）。
【００８２】
ステップＨ５において、セルフタイマー撮影中に着信を検出した場合は、電波をオフにし、着信を禁止する着信報知設定が選択されたと判定すると（ステップＨ５；ＹＥＳ）、電波をオフにする設定を、Ｂｕｆｆ３として記憶部１５に記憶する（ステップＨ６）。ステップＨ５において、セルフタイマー撮影中に着信を検出した場合に、電波をオフにする設定が選択されていないと判定すると（ステップＨ５；ＮＯ）、次に、セルフタイマー撮影中に着信があっても報知をしない着信報知設定が選択されたか否かを判定する（ステップＨ７）。
【００８３】
ステップＨ７において、セルフタイマー撮影中に着信を検出した場合、その旨を報知しない着信報知設定が選択されたと判定すると（ステップＨ７；ＹＥＳ）、報知をしない設定を、Ｂｕｆｆ４として記憶部１５に記憶する（ステップＨ８）。ステップＨ７において、セルフタイマー撮影中に着信を検出した場合、その旨を報知しない着信報知設定が選択されていなと判定すると（ステップＨ７；ＮＯ）、次に、セルフタイマー撮影中に着信を検出した場合について、特に着信報知方法を設定しない未設定が選択されたか否かを判定する（ステップＨ９）。
【００８４】
ステップＨ９において、セルフタイマー撮影中に着信を検出した場合の着信報知方法について、未設定にする着信モードが選択されたと判定すると（ステップＨ９；ＹＥＳ）、未設定を、Ｂｕｆｆ０として記憶部１５に記憶する（ステップＨ１０）。
【００８５】
ステップＨ２、Ｈ４、Ｈ６、Ｈ８、Ｈ１０において、それぞれの設定をＢｕｆｆ１〜０として記憶部１５に記憶する、又は、ステップＨ９において、セルフタイマー撮影中に着信を検出した場合の着信報知方法について、未設定にする着信モードが選択されていないと判定すると（ステップＨ９；ＮＯ）、設定をキャンセルするか否かを判定する（ステップＨ１１）。
【００８６】
ステップＨ１１において、ユーザによるキャンセルキー２４押下により、設定をキャンセルすると判定すると（ステップＨ１１；ＹＥＳ）、処理を終了する。その際、一時的に記憶部１５に記憶している設定は、例えば、携帯電話機１の電源がオフにされると消去する。ステップＨ１１において、ユーザよりキャンセルキー２４が押下されず、設定をキャンセルしないと判定すると（ステップＨ１１；ＮＯ）、設定した設定内容でＯＫか否かを判定する（ステップＨ１２）。この判定も、ユーザによるＯＫキーの押下があったか否かにより判定する。
【００８７】
ステップＨ１２において、ユーザによりＯＫキー２５が押下されず、設定した設定内容でＯＫではないと判定すると（ステップＨ１２；ＮＯ）、ステップＨ１に戻り、再度、ステップＨ１〜Ｈ１１の設定が行われる。ステップＨ１２において、ユーザによるＯＫキー２５押下により、設定した設定内容でＯＫであると判定すると（ステップＨ１２；ＹＥＳ）、ＢｕｆｆをＭｏｄｅに更新することにより着信モードの選択を実行し（ステップＨ１３）、処理を終了する。この更新により、記憶部１５に記憶していた設定内容を着信設定記憶部１４に記憶させる。
【００８８】
図１１にカメラモード起動時の一連処理を示し、設定ごとの着信報知方法について説明する。携帯電話機１の着信音設定がマナーモード設定ではなく（マナーモード設定；ＯＦＦ）、音による着信であり、セルフタイマー撮影が選択されていない場合（セルフタイマー撮影；ＯＦＦ）、カメラ２０起動中に着信があると、通常の着信と同様に音による着信報知をする。この時の着信音は、通常設定している着信音でもよいし、カメラ起動時に個別に設定できる構成としてもよい。
【００８９】
次に、携帯電話機１の着信音設定がマナーモード設定ではなく（マナーモード設定；ＯＦＦ）、音による着信であり、セルフタイマー撮影が選択されている場合（セルフタイマー撮影；ＯＮ）、カメラ２０起動中に着信があると、前述した場合と同様に、通常の着信と同様に音による着信報知をする。
【００９０】
次に、携帯電話機１の着信音設定がマナーモード設定であり（マナーモード設定；ＯＮ）、セルフタイマー撮影が選択されていない場合（セルフタイマー撮影；ＯＦＦ）、カメラ２０起動中に着信があると、設定されているマナーモードであるバイブレータ１９により着信を報知する。
【００９１】
携帯電話機１の着信音設定がマナーモード設定であり（マナーモード；ＯＮ）、セルフタイマー撮影が選択されている場合（セルフタイマー撮影；ＯＮ）、図４〜図７において説明したように、バイブレータによる振動報知を禁止し、カメラ撮影補助ライト１７、着信用スピーカ１８からのブザー報知等により着信報知を実行する。また、これらの報知設定は、選択可能であり、報知しない設定や、電波をオフにして着信を禁止する設定も可能である。
【００９２】
以上のように、セルフタイマー撮影中の着信報知方法を、ユーザが自由に設定することができることにより、例えば、視力の悪い場合は、ブザーによる報知にするなど、ユーザの自由度が向上する。これらの設定の何れを選択しても、少なくともバイブレータによる報知は禁止されるので、設置位置から携帯電話機１が落下するかもしれないという不安を取り除くことができ、心配することなく撮影を行うことができる。また、セルフタイマーによる撮影後に画像を確認すると、バイブレータによる振動報知があったため画像がブレており、再度撮影するという手間も省くことができる。
【００９３】
なお、バイブレータによる着信報知を禁止する対象は、セルフタイマー撮影が選択された場合としたがこれに限られない。一定時間の動画撮影や、予め設定された時間間隔の自動シャッター撮影（インターバル撮影）が選択された場合についても、バイブレータによる着信報知を禁止するとしても同様の効果を得ることができる。
【００９４】
さらに本実施形態においては、本発明を携帯電話機に適用させた場合について述べたが、これに限らず、ユーザが予測し得ないタイミングで外部からの着信を検出する機能を有する、あらゆる撮像装置に適用できることは言うまでも無いことである。
【図面の簡単な説明】
【００９５】
【図１】本実施形態に係わる携帯電話機１の構成図である。
【図２】報知パターンテーブルの説明図である。
【図３】セルフタイマー撮影時のフローチャートである。
【図４】セルフタイマー撮影時における着信処理のフローチャートである。
【図５】カメラ撮影補助ライト１７で報知する処理のフローチャートである。
【図６】着信スピーカ１８で報知する処理のフローチャートである。
【図７】選択したモードにて着信報知する処理のフローチャートである。
【図８】選択報知のフローチャートである。
【図９】着信モード選択処理のフローチャートである。
【図１０】着信モード選択時に表示される表示画面である。
【図１１】着信報知方法の説明図である。
【符号の説明】
【００９６】
１  携帯電話機（撮像装置）
２  アンテナ（回線接続手段）
３  無線送受信部（着信検出手段、回線接続手段）
４  無線信号処理部（着信検出手段、回線接続手段）
５  システムＲＯＭ
６  制御部（着信検出手段、記録手段、報知制御手段、接続制御手段）
７  キー入力部
８  表示部
９  メモリカード
１０  タイマー計測部
１１  着信設定記憶部（設定手段）
１２  音声信号処理部
１３  通話用スピーカ
１４  マイク
１５  記憶部（情報記録手段）
１６  ドライバ
１７  カメラ撮影補助ライト（発光手段）
１８  着信用スピーカ（音声報知手段）
１９  バイブレータ（報知手段）
２０  カメラ（撮像手段）
２１、２２  ドライバ
２３  入出力インターフェイス
２４  キャンセルキー
２５  ＯＫキー
７１  シャッターキー（記録指示手段）
Ｂ  バス
【図１】
2007068013.tif 000003
【図２】
2007068013.tif 000004
【図３】
2007068013.tif 000005
【図４】
2007068013.tif 000006
【図５】
2007068013.tif 000007
【図６】
2007068013.tif 000008
【図７】
2007068013.tif 000009
【図８】
2007068013.tif 000010
【図９】
2007068013.tif 000011
【図１０】
2007068013.tif 000012
【図１１】
2007068013.tif 000013